(57)【要約】【課題】  上下２個の巻付解除部材を用いて回転軸や回転棒に巻き付いたフィルム破片等を段階的に取り除いて確実な除去ができるようにした破袋装置の提供。【解決手段】  破袋室１０内に水平に軸架された回転軸２に軸方向に一定の間隙Ｓを保持して取り付けられた複数個の回転棒３と、回転棒の下向き回転側Ｍで該回転棒と軸方向視で交差し、かつ平面視で回転棒間の間隙内に位置するように破袋室内に取り付けられた複数個の固定棒４と、回転棒の上向き回転側Ｎで回転棒と軸方向視で交差し、かつ平面視で回転棒間の間隙内に位置するように破袋室内に取り付けられた複数個の第１巻付解除部材６および第２巻付解除部材７とを備え、第２巻付解除部材は第１巻付解除部材よりも上方位置に配設されると共に、その幅員Ｔ１が第１巻付解除部材の幅員Ｔ２よりも幅広に形成されている。【選択図】  図１
2011143354.tif 000002
【特許請求の範囲】
【請求項１】
上方に投入口（１１）を有し下方に排出口（１２）を有する破袋室（１０）と、
この破袋室内に水平に軸架された回転軸（２）と、
この回転軸上に軸方向に一定の間隙（Ｓ）を保持して取り付けられた複数個の回転棒（３）と、
前記回転棒の下向き回転側（Ｍ）で該回転棒と軸方向視で交差し、かつ平面視で前記回転棒間の間隙内に位置するように破袋室内に取り付けられた複数個の固定棒（４）と、
前記回転棒の上向き回転側（Ｎ）で前記回転棒と軸方向視で交差し、かつ平面視で前記回転棒間の間隙内に位置するように破袋室内に取り付けられた複数個の第１巻付解除部材（６）および第２巻付解除部材（７）とを備え、
前記第２巻付解除部材は第１巻付解除部材よりも上方位置に配設されると共に、その幅員（Ｔ１）が前記第１巻付解除部材の幅員（Ｔ２）よりも幅広に形成されている破袋装置
【請求項２】
請求項１記載の破袋装置において、
前記回転棒の下向き回転側で前記回転棒と軸方向視で交差せず、かつ前記固定棒よりも上方に位置して前記破袋室内に突出するように取り付けられている投入調整板（８）を備えている破袋装置。
【請求項３】
請求項１又は２記載の破袋装置において、
前記回転棒の下向き回転側で、前記固定棒よりも上方で回転棒と軸方向視で交差し、かつ平面視で前記回転棒間の間隙内に位置するように破袋室内に取り付けられた複数個の噛込防止棒（５）を有し、
この噛込防止棒の軸方向配設間隔（Ｌ１）が前記固定棒の軸方向配設間隔（Ｌ２）よりも広く形成されている破袋装置。
【請求項４】
請求項１又は２又は３記載の破袋装置において、
前記回転棒の下向き回転側で、前記固定棒よりも上方で回転棒と軸方向視で交差し、かつ平面視で前記回転棒間の間隙内に位置するように破袋室内に取り付けられた複数個の噛込防止棒（５）を有し、
この噛込防止棒における破袋室内壁面（１０ａ）から回転棒に交差するまでの突出幅（Ｂ１）が、固定棒における破袋室内壁面（１０ａ）から回転棒に交差するまでの突出幅（Ｂ２）よりも広く形成されている破袋装置。
【発明の詳細な説明】
【技術分野】
【０００１】
本発明は、ごみ処理場等において、一般家庭、店舗、その他の場所から収集されたごみ収容済袋（以下、「収容ごみ袋」という）を破袋するために用いられる破袋装置に関する。
【背景技術】
【０００２】
ごみ処理場に収集された収容ごみ袋は、フィルム袋に収容されているごみを可燃ごみ、資源ごみ、不燃ごみ等に分別するために、これを破袋してフィルム袋からごみを取り出す必要があり、そのための装置として破袋装置が用いられている。
【０００３】
従来の破袋装置は、投入口から破袋室内に投入させた収容ごみ袋を、回転刃物と固定刃とで破袋させて排出口から排出させ、その際、装置に巻き付いたフィルム袋の破片等（以下、「フィルム破片等」という）を巻付切断刃によって除去させるようになっている（特許文献１参照）。
【０００４】
この従来の破袋装置は、破袋室内に水平に軸架した回転軸に回転刃物を取り付け、一方、回転刃物の下向き回転側で該回転刃物と軸方向視で交差すると共に平面視で前記各回転刃物間の間隙内に位置するように固定刃を取り付け、かつ回転刃物の上向き回転側で該回転刃物と軸方向視で交差すると共に平面視で前記各回転刃物間の間隙内に位置するように巻付切断刃を取り付けた構造になっている。
【０００５】
しかしながら、前記巻付切断刃は、回転刃物の回転軸と平行な軸に回転自在に支持されているため、装置（回転軸や回転刃物）に巻き付いたフィルム破片等に当接すると、この巻付切断刃自体も回転してしまう。
これでは装置に巻き付いたフィルム破片等を引き破ったり剥ぎ取ったりして取り除くことができず、十分な除去能力が得られないし、また、巻付切断刃自体を回転させる構造のため装置が複雑になるし、メンテナンスも面倒になるという問題があった。
【先行技術文献】
【特許文献】
【０００６】
【特許文献１】特開２００５−２４６２７６号公報
【発明の概要】
【発明が解決しようとする課題】
【０００７】
本発明は、上下２個の巻付解除部材を用いて回転軸や回転棒に巻き付いたフィルム破片等を段階的に取り除いて確実な除去ができるようにした破袋装置を提供することを第１の課題としている。
さらに、収容ごみ袋の投入に際し、多数の収容ごみ袋が一度にまとまって落下することによる詰まりを防止することができる破袋装置を提供することを第２の課題としている。
加えて、収容ごみ袋についても噛込防止棒と固定棒とにより段階的に破袋させることで確実な破袋ができるようにした破袋装置を提供することを第３の課題としている。
【課題を解決するための手段】
【０００８】
上記の課題を解決するために、本発明の請求項１に係る破袋装置は、
上方に投入口（１１）を有し下方に排出口（１２）を有する破袋室（１０）と、
この破袋室内に水平に軸架された回転軸（２）と、
この回転軸上に軸方向に一定の間隙（Ｓ）を保持して取り付けられた複数個の回転棒（３）と、
前記回転棒の下向き回転側（Ｍ）で該回転棒と軸方向視で交差し、かつ平面視で前記回転棒間の間隙内に位置するように破袋室内に取り付けられた複数個の固定棒（４）と、
前記回転棒の上向き回転側（Ｎ）で前記回転棒と軸方向視で交差し、かつ平面視で前記回転棒間の間隙内に位置するように破袋室内に取り付けられた複数個の第１巻付解除部材（６）および第２巻付解除部材（７）とを備え、
前記第２巻付解除部材は第１巻付解除部材よりも上方位置に配設されると共に、その幅員（Ｔ１）が前記第１巻付解除部材の幅員（Ｔ２）よりも幅広に形成されている構成とした。
【０００９】
また、本発明の請求項２に係る破袋装置は、
請求項１記載の破袋装置において、
前記回転棒の下向き回転側で前記回転棒と軸方向視で交差せず、かつ前記固定棒よりも上方に位置して前記破袋室内に突出するように取り付けられている投入調整板（８）を備えている構成とした。
【００１０】
また、本発明の請求項３に係る破袋装置は、
請求項１又は２記載の破袋装置において、
前記回転棒の下向き回転側で、前記固定棒よりも上方で回転棒と軸方向視で交差し、かつ平面視で前記回転棒間の間隙内に位置するように破袋室内に取り付けられた複数個の噛込防止棒（５）を有し、
この噛込防止棒の軸方向配設間隔（Ｌ１）が前記固定棒の軸方向配設間隔（Ｌ２）よりも広く形成されている構成とした。
【００１１】
また、本発明の請求項４に係る破袋装置は、
請求項１又は２又は３記載の破袋装置において、
前記回転棒の下向き回転側で、前記固定棒よりも上方で回転棒と軸方向視で交差し、かつ平面視で前記回転棒間の間隙内に位置するように破袋室内に取り付けられた複数個の噛込防止棒（５）を有し、
この噛込防止棒における破袋室内壁面（１０ａ）から回転棒に交差するまでの突出幅（Ｂ1）が、固定棒における破袋室内壁面（１０ａ）から回転棒に交差するまでの突出幅（Ｂ２）よりも広く形成されている構成とした。
【発明の効果】
【００１２】
本発明の請求項１に係る破袋装置は、回転棒の上向き回転側に第１巻付解除部材および第２巻付解除部材を設け、第２巻付解除部材を第１巻付解除部材よりも上方位置に配設させると共に、その第２巻付解除部材の幅員（Ｔ１）を第１巻付解除部材の幅員（Ｔ２）よりも幅広に形成させた構成に特徴がある。
【００１３】
従って、投入口から破袋室内に投入された収容ごみ袋は、回転棒と固定棒とで破袋されて排出口から排出される。
その際、フィルム破片等が回転軸や回転棒に巻きついたり、絡まって連れ回わされたりして、回転トラブルや以後の破袋に支障をきたすことがある。
【００１４】
このとき、本発明では、フィルム破片等がまず第１巻付解除部材に当接し、この第１巻付解除部材と回転棒とによって引き破られたり剥ぎ取られたり取り除かれる。
そして、この第１巻付解除部材によって除去できなかったフィルム破片等は、次に第２巻付解除部材に当接し、この第２巻付解除部材と回転棒とによって引き破られたり剥ぎ取られたり取り除かれる。
【００１５】
すなわち、前記第１巻付解除部材と第２巻付解除部材は、上下２段階に設けられているだけでなく、第２巻付解除部材の幅員（Ｔ１）が第１巻付解除部材の幅員（Ｔ２）よりも幅広に形成されているため、第１巻付解除部材を通過してきたフィルム破片等に対し、第２巻付解除部材を確実に当接させることができ、これによりフィルム破片等を確実に除去させることができる。
また、２段階の除去になるため、巻付解除部材（第１巻付解除部材及び第２巻付解除部材）への負荷を軽減させることができ、巻付解除部材の耐用期間を向上できる。
尚、第２巻付解除部材だけの場合、フィルム破片等が第２巻付解除部材に巻付いてしまうことが実験により明らかになっている。他方、第１巻付解除部材及び第２巻付解除部材を設けた場合、巻付解除部材にフィルム破片等が巻きつくことはなかった。
【００１６】
本発明の請求項２に係る破袋装置は、固定棒よりも上方に位置して投入調整板を設けた構成に特徴がある。
【００１７】
収容ごみ袋の投入に際し、多数の収容ごみ袋が一度にまとまって落下すると、回転棒と固定棒との間に収容ごみ袋が噛み込んでしまい、破袋不能に陥ることがある。
このようなとき、投入調整板を設けていると、投入された収容ごみ袋の一部を投入調整板により一旦受け止めることができる。
一旦受け止められた収容ごみ袋は回転棒により少しずつ破袋室へ掻き込まれていく。
このように収容ごみ袋が回転棒と固定棒との間に入り込むタイミングに時間差を設けることができ、収容ごみ袋が回転棒と固定棒との間に噛み込んでしまうといったトラブルを防止できる。
【００１８】
本発明の請求項３に係る破袋装置は、固定棒の上方に噛込防止棒を設け、この噛込防止棒の軸方向配設間隔（Ｌ１）を前記固定棒の軸方向配設間隔（Ｌ２）よりも広く形成させた構成（Ｌ１＞Ｌ２）に特徴がある。
【００１９】
従って、投入口から破袋室内に投入された収容ごみ袋は、まず、回転棒と噛込防止棒との間で破袋され、次に回転棒と固定棒との間で破袋される。
このとき、噛込防止棒の軸方向配設間隔（Ｌ１）が、固定棒の軸方向配設間隔（Ｌ２）よりも広いため、噛込防止棒付近では、収容ゴミ袋への衝撃が逃げやすい状態になり、そのため、回転棒が噛み込むことなく収容ごみ袋を荒破袋することができる。
その後、固定棒付近では、軸方向配設間隔（Ｌ２）が狭いため、収容ゴミ袋を確実に破袋でき、さらに荒破袋させているので、噛み込むこともない。
また、噛込防止棒と固定棒との２段階の破袋になるため、噛込防止棒及び固定棒への負荷を軽減させることができ、固定棒の耐用期間を向上できる。
【００２０】
本発明の請求項４に係る破袋装置は、噛込防止棒の突出幅（Ｂ１）を固定棒の突出幅（Ｂ２）よりも広く形成させた構成（Ｂ１＞Ｂ２）に特徴がある。
このように噛込防止棒の突出幅（Ｂ１）が、固定棒の突出幅（Ｂ２）よりも広くすると、前記請求項３の場合と同様に、噛込防止棒付近では、収容ゴミ袋への衝撃が逃げやすい状態になり、そのため、回転棒が噛み込むことなく収容ごみ袋を荒破袋することができる。
その後、固定棒付近では、突出幅（Ｂ２）が狭いため、収容ゴミ袋を確実に破袋でき、さらに荒破袋させているので、噛み込むこともない。
【００２１】
前記請求項３の構成である噛込防止棒の軸方向配設間隔（Ｌ１）を前記固定棒の軸方向配設間隔（Ｌ２）よりも広く形成させた構成（Ｌ１＞Ｌ２）と、前記請求項４の構成である噛込防止棒の突出幅（Ｂ１）を固定棒の突出幅（Ｂ２）よりも広く形成させた構成（Ｂ１＞Ｂ２）と、を組み合わせると、より効率的な破袋を行うことができる。
【図面の簡単な説明】
【００２２】
【図１】本発明の実施例に係る破袋装置を示す断面図。
【図２】その破袋装置において投入調整板の図示を省略した平面図。
【図３】その破袋装置において噛込防止棒及び固定棒の図示を省略した平面図。
【図４】第１巻付解除部材と第２巻付解除部材を一体に形成した例を示す斜視図。
【発明を実施するための形態】
【００２３】
図において、１はケーシングで、平面視方形に形成され、上方に投入口１１を有し下方に排出口１２を有する破袋室１０が内部に形成されている。
前記投入口１１には投入ホッパー１３が取り付けられている。
【００２４】
前記破袋室１０内には、図示省略した駆動モータにより回転駆動される回転軸２が水平に軸架され、この回転軸２上に複数個の回転棒３が軸方向に一定の間隙Ｓを保持して取り付けられている。なお、２０は軸受である。
なお、前記回転軸２は１００〜４００ｒｐｍで高速回転させるのが望ましい。そうすれば、回転棒３は高速回転ハンマーとなり、打撃破砕ができる。
【００２５】
この実施例では、回転軸２を中心として１８０度反対方向に延長させた２個１組の回転棒３，３を回転軸２の軸方向に６個取り付け、それぞれの回転棒３の先端部に刃物３０を取り付けている。なお、打撃破砕する場合には刃物３０はなくてもよい。
また、前記各回転棒３は、円周方向に等間隔になるように３０度間隔で配設されている。
【００２６】
前記回転棒３の下向き回転側Ｍ（図において回転軸２の中心Ｃより右側）において、破袋室１０の内壁面１０ａに複数個（実施例では５個）の固定棒４が櫛歯状に取り付けられている。
この固定棒４は、図１で示すように前記回転棒３と軸方向視で交差し、かつ図２で示すようにそれぞれが平面視で前記回転棒３，３間の各間隙Ｓ内に位置するように取り付けられている。
また、実施例では、固定棒４の上縁が回転軸２の中心Ｃとほぼ同じ高さになる位置に取り付けられているが、これに限定されない。
又、図面（図１）では固定棒４の先端部に刃物４０を取り付けているが、打撃破砕する場合には刃物４０はなくてもよい。
【００２７】
前記回転棒３の下向き回転側Ｍであって、前記固定棒４よりも上方において、破袋室１０の内壁面に複数個（実施例では３個）の噛込防止棒５が櫛歯状に取り付けられている。
この噛込防止棒５は、図１で示すように前記回転棒３と軸方向視で交差し、かつ図２で示すように平面視で前記回転棒３，３間の間隙内に位置するように破袋室内に取り付けられている。
【００２８】
又、図２で示すように、この噛込防止棒５の軸方向配設間隔Ｌ１は、前記固定棒４の軸方向配設間隔Ｌ２よりも広く形成されており（Ｌ１＞Ｌ２）、この実施例では、噛込防止棒５を前記回転棒３，３間の間隙Ｓに１つ置きに配設させているが、これに限定されない。
さらに、図１で示すように、前記噛込防止棒５における破袋室１０の内壁面１０ａから回転棒３に交差するまでの突出幅Ｂ１が、固定棒４における破袋室１０の内壁面１０ａから回転棒３に交差するまでの突出幅Ｂ２よりも広く形成されている（Ｂ１＞Ｂ２）。
【００２９】
前記回転棒３の上向き回転側Ｎ（図において回転軸２の中心Ｃより左側）において、破袋室１０の内壁面に板材（棒材でもよい）で形成された複数個（実施例では５個）の第１巻付解除部材６および第２巻付解除部材７が平面視で重なり合うようにそれぞれ櫛歯状に取り付けられている。
【００３０】
前記第２巻付解除部材７は第１巻付解除部材６よりも上方位置に配設されると共に、図２で示すように、その幅員Ｔ１が前記第１巻付解除部材６の幅員Ｔ２よりも幅広（Ｔ１＞Ｔ２）に形成されている。
この結果、第２巻付解除部材７と回転棒３との隙が、第１巻付解除部材６と回転棒３との隙よりも狭くなる。
【００３１】
又、第２巻付解除部材７と回転軸２との間隔Ｆは２〜５ｍｍが望ましく、前記間隔Ｆが狭すぎると、第２巻付解除部材７と回転軸２との間に摩擦が起き、摩擦熱によりフィルム破片等が溶融して回転軸２や回転棒３などに固着するといったトラブルが生じてしまう。
この実施例では、第２巻付解除部材７の下縁が回転軸２の中心Ｃとほぼ同じ高さになる位置に取り付けられているが、これに限定されない。
【００３２】
なお、この実施例では、図１及び図２で示すように、平面視で重なり合う第１巻付解除部材６と第２巻付解除部材７において、それぞれを別部品として形成させ、これを別々に破袋室１０の内壁面に取り付けるようにしているが、図４に示すように、平面視で重なり合う第１巻付解除部材６と第２巻付解除部材７を一体構造の１部品に形成させることができる。
図４に示す例では、板材による第１巻付解除部材６の上端に、板材を二股状に形成した第２巻付解除部材７を一体に連結することで傾斜部７０，７０を有する正面視略Ｙ字状の１個の解除部材に形成させている。
【００３３】
前記回転棒３の下向き回転側Ｍにおいて、図１で示すように、前記回転棒３と軸方向視で交差せず、かつ前記噛込防止棒５よりも上方に位置して前記破袋室１０内に突出するように投入調整板８が取り付けられている。
この実施例では、図３に示すように、投入調整板８が平面視で前記回転棒３，３間の間隙Ｓ内に位置するように２個の投入調整板８が櫛歯状に取り付けられているが、これに限定されない。
【００３４】
次に、作用を説明する。
収容ごみ袋は、投入口１１から破袋室１０内に投入され、回転棒３と噛込防止棒５の間、回転棒３と固定棒４との間で破袋されたのち、排出口１２から排出される。
【００３５】
収容ごみ袋の投入に際し、多数の収容ごみ袋が一度にまとまって落下したような場合、投入された収容ごみ袋の一部が投入調整板８により一旦受け止められるため、収容ごみ袋が回転棒３と固定棒４もしくは噛込防止棒５との間に入り込むタイミングに時間差を設けることができる。
これにより、収容ごみ袋が回転棒３と噛込防止棒５もしくは固定棒４との間に噛み込んでしまうといった破袋トラブルを防止できる。
【００３６】
破袋に際しては、収容ごみ袋は、まず、回転棒３と噛込防止棒５との間で荒破袋され、次に回転棒３と固定棒４との間で細破袋されるという２段階での破砕になるため、確実に収容ごみ袋を破袋させることができるし、固定棒４への噛み込みを防止できる。
【００３７】
そして、破袋に伴いフィルム破片等が回転軸２や回転棒３等に巻きついたり、絡まって連れ回わされたりしたても、フィルム破片等がまず第１巻付解除部材６に当接して取り除かれ、この第１巻付解除部材６によって除去できなかったフィルム破片等は、次の第２巻付解除部材７に当接し、この第２巻付解除部材７によって取り除かれる。
特に、第２巻付解除部材７の幅員Ｔ１が第１巻付解除部材６の幅員Ｔ２よりも幅広に形成されているため、第１巻付解除部材６を通過してきたフィルム破片等に対し、第２巻付解除部材７を確実に当接させることができ、これによりフィルム破片等を確実に除去させることができる。
【符号の説明】
【００３８】
１  ケーシング
１０  破袋室
１０ａ  内壁面
１１  投入口
１２  排出口
１３  投入ホッパー
２  回転軸
３  回転棒
３０  刃物
４  固定棒
４０  刃物
５  噛込防止棒
６  第１巻付解除部材
７  第２巻付解除部材
７０  傾斜部
８  投入調整板
Ｃ  中心
Ｍ  下向き回転側
Ｎ  上向き回転側
Ｓ  間隙
Ｌ１  軸方向配設間隔
Ｌ２  軸方向配設間隔
Ｔ１  幅員
Ｔ２  幅員
Ｂ１  突出幅
Ｂ２  突出幅
Ｆ  間隔
【図１】
2011143354.tif 000003
【図２】
2011143354.tif 000004
【図３】
2011143354.tif 000005
【図４】
2011143354.tif 000006